(57)【特許請求の範囲】
【請求項１】
１つの排水主管と接続する流出口と、トイレトラップを除く器具トラップと連通した複数の排水枝管と各接続する複数の流入口と、上方を密閉する蓋と、からなる１つの合成樹脂製集合ますを用いた排水用床下配管設備であって、
前記排水主管の下流側を屋外のトラップますに接続してトイレ臭や下水臭を遮断すると共に、前記排水枝管の上流側の器具トラップの一部を省略して通気管兼用にして、残りの器具トラップの破封を防止したことを特徴とする排水用床下配管設備。
【請求項２】
１つの排水主管に、トイレトラップを除く器具トラップと連通した複数の排水枝管を各接続した排水用床下配管設備であって、
前記排水主管の下流側を屋外のトラップますに接続してトイレ臭や下水臭を遮断すると共に、前記排水枝管の上流側の器具トラップの一部を省略して通気管兼用にして、残りの器具トラップの破封を防止したことを特徴とする排水用床下配管設備。
【発明の詳細な説明】
【０００１】
【発明の属する技術分野】
本発明は、１つの集合ます、または、ヘッダ−型継手、を用いた排水主管からなる排水用床下配管設備に関するものである。
【０００２】
【従来の技術】
現在、１つの集合ます（一括集中排水のための集水ます、または会所ますともいう）を用いた屋内の排水用床下配管が盛んに提唱されている（例えば、特開２００１−２２０７９２号公報参照）。
【０００３】
かかる１つの集合ますを用いた排水用床下配管によると、１）プレハブ配管といわれる排水管のユニット化ができ、現場での労務量を減らし、全体の工期を短縮し、工場生産品による品質の安定化等の効果があり、２）集合ますの点検口により床下配管全体の保守・点検が容易になる、３）集合ますが一種の空気アキュムレ−タとして働き、上流側の器具トラップの破封を可及的に低下させる、４）床下配管を非埋設にすると、土工費を節減する、５）屋外の排水ますや排水管の数を減らす、等の効果が期待できる、とされている。
【０００４】
そして、かかる排水用床下配管設備の下流側を接続するのに排水竪主管か、宅内排水ますかに着目して大別すると、Ａ）集合住宅向きのものと、Ｂ）戸建住宅向きのものとになり、これらに各種の提案がそれぞれなされている。
【０００５】
例えば、空気アキュムレ−タとはいえ、１つの集合ますを用いると器具トラップが破封することがあり、これを防止する提案が、前者Ａ）については、特開平７−３８５３号公報、特公平８−２６５６４号公報、特開２００１−４０７４５号公報で示されており、また、後者Ｂ）については、特開２００１−２２０７９６号公報で示されている。
【０００６】
すなわち、前掲の特開２００１−４０７４５号公報の提案は、集合ますの密閉蓋に、正圧時には閉じ、負圧時には開になる通気弁を設けることが紹介されており、また、前掲の特開２００１−２２０７９６号公報には、次のような提案が紹介されている。
【０００７】
図３において、建物の床下１００に１つの排水主管１０１を布設し、この排水主管１０１をヘッダ−型継手（本明細書では、直管状または曲管状に連設した４５°Ｙや９０°Ｙ等の継手群をいう）にして（したがって、円形または方形のますタイプの集合ますを用いることなく）、これに、器具トラップ（トイレトラップ１０２、洗面所トラップ１０３、洗濯機トラップ１０４、浴室トラップ１０５、台所トラップ１０６）を接続した排水枝管１０７，１０７…の流出側を接続し、前記排水主管１０１の下流側を屋外で埋設している排水ます１０８に接続した排水用床下配管設備において、前記排水主管１０１または排水枝管１０７（特に、図示のようにトイレ用排水枝管１０７、つまり排水主管１０１の上流端部）に通気管１０９を接続し、すなわち、いわゆるル−プ通気管を形成し、この通気管１０９を屋外に導出して、外壁に沿って立上げ、その先端に通気弁を設けたので、各器具トラップの破封を防ぎ、殊に、各器具トラップに対応した数の通気管を設けることなく、つまり、個別通気管を設けず、したがって、材料費や施工費を節減できる、とされている。なお、図中、１１０は公共ますを示す。
【０００８】
【発明が解決しようとする課題】
しかしながら、かかる排水用床下配管設備では、１）排水主管１０１に集合ますを用いていないので、集合ますとしての前記効果、保守・点検や空気アキュムレ−タの効果等を期待できない、２）排水主管１０１の上流端に通気管１０９を接続しているので、公共ます１１０から逆流する下水臭が床下に逆流・浸入する、という問題が考えられる。
【０００９】
そこで、かかる問題を解決することを主たる目的とし、破封による防臭対策や、床下における騒音防止対策のフェイルセイフ機構を構成することを副たる目的とするものである。
【００１０】
【課題を解決するための手段】
そのため、本発明は、１）１つの排水主管と接続する流出口と、トイレトラップを除く器具トラップと連通した複数の排水枝管と各接続する複数の流入口と、上方を密閉する蓋と、からなる１つの合成樹脂製集合ますを用いた排水用床下配管設備であって、前記排水主管の下流側を屋外のトラップますに接続してトイレ臭や下水臭を遮断すると共に、前記排水枝管の上流側の器具トラップの一部を省略して通気管兼用にして、残りの器具トラップの破封を防止したことを特徴とする排水用床下配管設備にあり、また、２）１つの排水主管に、トイレトラップを除く器具トラップと連通した複数の排水枝管を各接続した排水用床下配管設備であって、前記排水主管の下流側を屋外のトラップますに接続してトイレ臭や下水臭を遮断すると共に、前記排水枝管の上流側の器具トラップの一部を省略して通気管兼用にして、残りの器具トラップの破封を防止したことを特徴とする排水用床下配管設備を要旨とするものである。
【００１１】
したがって、本発明には次の実施態様が含まれる。
【００１２】
▲１▼１つの排水主管と接続する流出口と、トイレトラップを除き、通気管がなく、かつ、各種の器具トラップ（トイレトラップを除く器具トラップをいう）と連通した複数の排水枝管と各接続する複数の流入口と、上方を密閉する蓋と、からなる合成樹脂製集合ますを用いた排水用床下配管設備であって、前記排水主管の下流側を屋外のトラップますに接続すると共に、前記排水枝管の上流側の器具トラップの１つまたは２つ（一部）を省略して通気管兼用にして、残りの器具トラップの破封を防止したことを特徴とする排水用床下配管設備。
【００１３】
▲２▼１つの排水主管に、トイレトラップを除き、通気管がなく、かつ、各種の器具トラップと連通した複数の排水枝管を各接続した床下配管設備であって、前記排水主管の下流側を屋外のトラップますに接続すると共に、前記排水枝管の上流側の器具トラップの１つを省略して通気管兼用にして、残りの器具トラップの破封を防止したことを特徴とする排水用床下配管設備。
【００１４】
▲３▼前記集合ますに、管路内空気のアキュムレ−タ機能を付し、この機能と共に、前記器具トラップ省略による通気によって、他の器具トラップの破封防止のフェイルセイフ機構に構成したもの。
【００１５】
▲４▼前記集合ますに、管路内空気のアキュムレ−タ機能を付すと共に、該集合ますに、流入口を区画する仕切板を設けて、ます内の空気環流機能を更に付し、これらの機能と共に、前記器具トラップ省略による通気管機能によって、他の器具トラップの破封防止のフェイルセイフ機構に構成したのもの。
【００１６】
【発明の実施の形態】
本発明を添付図面に示す実施例により詳細に述べる。
【００１７】
図１は本発明の実施例の全体の模式図、図２は図１の要部断面詳細図である。
【００１８】
本発明の実施例のユニット化した屋内の排水用床下配管設備１は、木造戸建住宅に好適であるが、小規模集合住宅にも適用できる。
【００１９】
先ず、この屋内の排水用床下配管設備１の概要を述べる。
【００２０】
図１において、木造家屋２を建設するには敷地に根切り等を施し、外周基礎となるフ−チングや布基礎等の基礎工事を、排水主管用スリ−ブ等の手当をしてから行う。
【００２１】
この基礎工事のコンクリ−トの養生後、床下全面に防湿コンクリ−ト３を打設する。この防湿コンクリ−ト打設時には、アンカ−ボルトをそのコンクリ−ト内に埋設する。
【００２２】
この防湿コンクリ−ト３の養生後、集合ます４をアンカ−止めにより取外し自在に固定・載置すると共に、１つの排水主管５を布設してこの集合ます４と接続する。その後、本体工事を行い、次いで内部工事に伴って２次の屋内配管を行う。
【００２３】
すなわち、例えば、台所の内部工事を行えば、その流し台と集合ます４とを、可撓管を用いた排水枝管６で雑排器具接続用ソケット７によりワンタッチ式に接続する。
【００２４】
この排水枝管６の長さは、施工図面によって予め判明した長さに切管しており、したがって、接続するだけで所定の流れ勾配が得られるプレハブ配管になっている。
【００２５】
同様に、洗面台、洗濯機および浴槽等の雑排器具を設置する内部工事毎に、それぞれ排水枝管６を既設の集合ます４と接続する。
【００２６】
この集合ます４は、木造家屋２の床８下の懐空間に載置しており、その真上の床８には不図示の点検口を開閉自在に設け、集合ます４の保守点検を行うようにし、ひいては、屋内の排水用床下配管設備１の保守点検（掃除）ができるようにしている。なお、図１中、９は根太を示す。
【００２７】
以上のような屋内の排水用床下配管設備１の工法であるから、施工精度が向上し、コンクリ−ト工事業者等の多能工でも充分に配管することができ、施工のタイムラグを防ぎながら、施工に伴う人件費（配管施工費の約７割を占めるもの）を節減することができ、しかも、屋外の排水ますの数も節減することができる。
【００２８】
次に、以上のような屋内の排水用床下配管設備１における集合ます４を詳細に述べる。
【００２９】
図２において、この集合ます４は、平面視で円形（勿論４方形でも可、少なくともヘッダ−型継手タイプでないもの）のいわゆる合成樹脂（塩ビ射出成形）製合流段差付ますで構成し、放射状ないし、排水主管５の管軸に対し平行および直交状に多数の排水枝管６が接続できるようにしている。
【００３０】
すなわち、このます本体１０には横向きに、１つの比較的大口径（例えば１００ｍｍφ）の排水主管用接続口（具体的にはゴム輪受口であるが、流出口とも表現する）１１と、複数（６個）の比較的小口径（例えば６０ｍｍφ）の排水枝管用接続口（具体的にはワンタッチ式接続口であるが、流入口とも表現する）１２，１２…とを各一体突設し、これらの排水主管用接続口１１と排水枝管用接続口１２との間に段差（例えば５５ｍｍ）Ｓを設けたインバ−ト部１３を形成している。
【００３１】
また、この寸胴状になったます本体１０には、上向きに大口径（例えば２００ｍｍφ）の蓋用嵌合口１４を形成し、この蓋用嵌合口１４には仕切板１７付の蓋１５が着脱自在に、リップ状パッキン１６を介して完全密閉して、下水臭を屋内に浸入させないようにしている。
【００３２】
そして、前記のように複数の排水枝管用接続口１２を設けて、屋内の各種の雑排器具からの排水が流入しても、この仕切板１７と、比較的大きくとった段差Ｓとによって、他の排水枝管６へ逆流しないようにしている。
【００３３】
また、このます本体１０には、排水主管用接続口１１側を除く３方側に、各２つの平行状になった排水枝管用接続口１２を予め形成したので、略同一面上に計６個の流入用接続口（１２）が形成でき、集合ます４の高さを低くする配管に好都合とすると共に、器具トラップをもつ各種の雑排器具の数を満足させ、また、同一方向からの接続を容易にすることができる。しかも、２個平行流入になるので、ます本体１０内での互いの流水による撥ね返りを防ぐことができる。なお、不要な接続口（１２）は閉栓する。
【００３４】
殊に、このます本体１０を射出成形製にすれば、成形用金型の型じめ型割りが容易にでき、ひいては、射出成形用金型や成形機を複雑化せず、生産性を向上する。
【００３５】
次に、前記仕切板１７について述べる。図２において、この仕切板１７は、ます本体１０に設けた複数の排水枝管用接続口１２，１２…を各区画する垂直状にした８枚（数枚）の放射状仕切板に構成している。
【００３６】
また、ます本体１０に設けた比較的大きい段差Ｓを利用して排水主管用接続口１１へ迅速且つ円滑に流出させ、且つ、排水の撥ね上げを防止するため、これらの前記仕切板１７の隣同志に亘る逆Ｌ字状天板１８を設けている。
【００３７】
したがって、この放射状仕切板１７によって、排水が流入しないときの他の流入口（１２）へ逆流を防止したり、排水が同時に流入して衝突による撥ね上げ・飛び散りを防止したり、殊に、天板１８によって、比較的大きくとった段差Ｓを利用しながら、迅速に流出させ、ひいては、ます本体１０の高さを可及的に抑えることができ、限られた懐空間での床下配管に好都合にすることができる。
【００３８】
これらの放射状仕切板１７や天板１８は、中心軸（上下方向にした軸）１９と一体（射出）成形している。
【００３９】
すなわち、パイプ状中心軸１９の下部に、逆Ｌ字状天板１８の上向きラッパ体の最小径部が一体になっており、また、この上向きラッパ体を仕切板１７，１７によって、垂直方向で且つ中心軸１９を中心とする放射状に等間隔で区画するように、一体成形している。
【００４０】
そして、この仕切板１７の中心軸１９は、前記蓋１５の下面中央に一体に突出した取付軸２０と着脱自在に連結している。
【００４１】
したがって、蓋１５を取出すと、仕切板１７はます本体１０から取出すことができ、ます本体１０を含め、排水用床下配管設備１の保守点検が容易にできる。
【００４２】
更に、この下方開口のパイプ状中心軸１９には、上下方向中間に窓２１を開口していて、これを空気の環流口にしている。
【００４３】
したがって、１つの流入口たる排水枝管用接続口１２から満管流で排水が流入すると、密閉している集合ます４内の空気が排水主管用接続口１１へ排水と共に押出され、負圧を形成するおそれがあって、他の排水枝管用接続口１２と接続している器具トラップ（不図示）が破封しやすくなり、もし、破封すれば下水臭が屋内に逆流して浸入することから、この環流口たる窓２１によって集合ます４内の空気は、図中Ｃ矢印のように環流して、集合ます４の本来の空気アキュムレ−タ機能と相俟って空気圧を調整している。
【００４４】
ここにおいて、本実施例の排水用床下配管設備１には、次のような二重トラップ防止ひいては破封による防臭対策のためのフェイルセイフ機構を構じている。
【００４５】
すなわち、図１において、前記排水主管５は防湿コンクリ−ト３上で、固定された支持金具２２により非埋設状に配管し、その下流側を、略Ｓ字状になったＳ字配管２３を介して、屋外（ＧＬ）の排水ます２４の流入口側に接続している。
【００４６】
この排水ます２４の流出口は、公共ます（不図示）に接続した宅内排水管２５が接続しており、この宅内排水管２５には、トイレトラップに連通した排水枝管（いずれも不図示）が接続している。
【００４７】
すなわち、この宅内排水管２５には、トイレ用排水枝管が別個に合流しており、前記集合ます４にはトイレの汚物等は流入しないようにしている。
【００４８】
したがって、この排水用床下配管設備１の保守・点検作業を容易にすると共に、万一、この設備の器具トラップの１つに破封があっても、トイレ臭が部屋に逆流して浸入しないようにしている。
【００４９】
そのため、前記排水ます２４は、いわゆるトラップますに構成して、トイレ臭や公共ますからの下水臭を遮断している。
【００５０】
すなわち、この排水ます２４には、その流入側にＵトラップ２６を付設し、このＵトラップ２６の流入側に点検筒２７を立設して宅地面ＧＬで蓋をしている。
【００５１】
また、この点検筒２７には、チ−ズ２８を介して、前記Ｓ字配管２３を接続している。
【００５２】
このＳ字配管２３は、３つのエルボ２９，２９…を用いて床下のコンクリ−ト面から宅地面ＧＬ下に埋設した点検筒２７へ、２段のいわゆる階段接合（下流側に低い階段が複数個組合された管路をいう）をしている。勿論、１段の段差接合管路でもよい。
【００５３】
ところで、本発明者らの観測によると、この階段接合のうち、上流１段目のエルボ２９Ａの流入側が一時的に満水になりやすい、ということが判明し、Ｕトラップ２６の有無にかかわらず、上流側の器具トラップに対し、二重トラップと同様に破封を生じがちとなる、ということを見出した。
【００５４】
すなわち、一般に雑排水管には単なる排水以外の固形物を流すことから、その雑排水管の方向を９０°変換する場合には、固形物は小廻りがきかず、その曲率半径を大きくする必要があって、そこに、いわゆるショ−トエルボ（大曲りエルボでないもの）を用いると乱流も伴い管詰まりが生じ、上流側に大きい正圧が発生する、といわれている。
【００５５】
ところが、前記Ｓ字配管２３の階段接合には、スペ−スや布設場所の関係から、このショ−トエルボを用いざるを得ず、その結果、Ｓ字配管２３の入口側に瞬間的に満水状態の可能性があるものと考えられる。
【００５６】
勿論，このＳ字配管２３には、管路勾配が急変する箇所に用いなければならないとされる中空形成用の排水ますも介在していない。
【００５７】
殊に、排水主管（５）が主としてヘッダ−型継手からなる場合、１つの排水枝管（６）から満管流で、この排水枝管（６）より大径の排水主管（５）に流入すると、それより下流側の排水枝管（６）からの排水がこれに合流し、結局、排水枝管（６）より大径とはいえ排水主管（５）の出口側、すなわち、Ｓ字配管２３の入口側では満水状態が発生することも相乗的に影響する。
【００５８】
したがって、以上のような排水用床下配管設備１では、集合ます４が空気アキュムレ−タの働きや、中心軸１９の窓２１による空気環流の働きもあって、器具トラップの破封を防止できるものの、Ｕトラップ２６と各種の器具トラップとによる二重トラップを更に回避するフェイルセイフ機構として、複数の雑排器具のうち、使用水量の少ない雑排器具の器具トラップを省略して、排水と通気兼用、つまり、通気管兼用にして、前記二重トラップを回避し、これによる管路内の空気の正圧によって生じる騒音や、排水の乱れによる排水時間の延長化や、管詰りや、更には、残りの器具トラップの破封を防止することができたのである。
【００５９】
その結果、集合ます４やヘッダ−型継手を用いた一括集中床下配管における最大の難点である二重トラップ対策を万全にすることができる。
【００６０】
なお、器具トラップを省略する雑排器具の選定の基準は、使用水量の少ない点で、例えば洗面台であってもよいが、また、その部屋が独立し、風通しのよい場所に設置している雑排器具であってもよいし、更に、Ｕトラップ２６によりトイレ臭や下水臭を完全に遮断しているので、器具トラップの省略は２箇所でもよい。
【００６１】
そして又、参考例として、排水と通気を兼用した器具からは、前記Ｕトラップ２６によりトイレ臭等は浸入しないが、気になる場合は、集合ます４に新しい通気管を１箇所設けてもよい。
【００６２】
以上要するに、本実施例のフェイルセイフ機構によると、前掲の従来例のように排水枝管に通気管を付設して、これを屋外に導出し立上がらせ、かつ、通気弁を設ける、という工事を省略できるのは勿論、排水用床下配管設備の更なるユニット配管に貢献することができる。
【００６３】
なお、本発明は、ヘッダ−型継手を排水主管５の上流側に接続して使用してもよい。この場合は集合住宅へも応用できる。
【００６４】
【発明の効果】
本発明によると、排水用床下配管設備の難点たる二重トラップ対策、殊に、防臭対策をフェイルセイフ機構に構成したので、信頼性を高める品質を一層向上させることができる。つまり、床下配管に接続する器具トラップの破封を皆無とすることができる。
【００６５】
単なる器具トラップの省略であるので、例えば、洗面台のキャビネット内にある器具トラップを外し、直管等を配管し直すだけであるので、その工事費は僅少にすることができる。
【図面の簡単な説明】
【図１】本発明の実施例の全体の模式図である。
【図２】図１の要部断面詳細図である。
【図３】従来例である。
【符号の説明】
１…排水用床下配管設備、２…木造家屋、４…集合ます、５…排水主管、６…排水枝管、２４…排水ます、２６…Ｕトラップ
【図１】
0004034544.tif 000002
【図２】
0004034544.tif 000003
【図３】
0004034544.tif 000004